(57)【要約】【課題】ホログラム記録再生に好適なるフォトポリマを記録層として用いるホログラム記録媒体を提供する。【解決手段】録層はフォトポリマを構成材料として含み、フォトポリマによって形成されるホログラムの回折効率の最大値を最大回折効率ηとし、ホログラム記録時における記録済みホログラムの回折効率を多重化時回折効率η’とし、モノマの拡散定数を拡散定数Dとして、形成されるホログラムの体積をホログラム体積Vとし、記録中のホログラムと記録済みホログラムとの重なり部分の体積を重なり体積V’とし、書き込み開始からの経過時間を時間tとし、0.1≧η’(D(t))/η×V’(t)/Vが成立する範囲の拡散定数の値を上限値とし、前記上限値の１／６の値の拡散定数の値を下限値として、多重記録における記録再生特性を良好なものとする。【選択図】図４
2007279560.tif 000002
【特許請求の範囲】
【請求項１】
複数の記録データの各々に応じて変調された信号光および前記信号光と光源を同一とする参照光を共通の集光レンズで集光して干渉させて、前記複数の記録データの各々に応じた複数のホログラムを順次重ねて形成する記録層を有するホログラム記録媒体であって、
前記記録層はフォトポリマを構成材料として含み、
前記フォトポリマによって形成されるホログラムの回折効率の最大値を最大回折効率ηとし、ホログラム記録時における記録済みホログラムの回折効率を多重化時回折効率η’とし、モノマの拡散定数を拡散定数Dとして、形成されるホログラムの体積をホログラム体積Vとし、記録中のホログラムと記録済みホログラムとの重なり部分の体積を重なり体積V’とし、前記記録済みホログラムの書き込み開始からの経過時間を時間tとし、0.1≧η’(D(t))/η×V’(t)/Vが成立する範囲のモノマの拡散定数の値を上限値とし、前記上限値の１／６のモノマの拡散定数の値を下限値とする範囲のモノマの拡散定数を有するホログラム記録媒体。
【請求項２】
前記ホログラム記録媒体は、前記複数のホログラムの記録を順次おこなうための渦巻状の案内溝を有し、
前記拡散定数Dの値は、５nm2／Secから30nm2／Secの範囲である請求項１に記載のホログラム記録媒体。
【請求項３】
複数の記録データの各々に応じて変調された信号光および前記信号光と光源を同一とする参照光を共通の集光レンズで集光して干渉させてホログラムを形成するためのフォトポリマを構成材料として含む記録層を有するホログラム記録媒体であって、
前記フォトポリマの連鎖長は、30nmから100nmの範囲であることを特徴とするホログラム記録媒体。
【発明の詳細な説明】
【技術分野】
【０００１】
本発明は、ホログラム記録媒体に関する。
【背景技術】
【０００２】
近年、高記録密度を達成するとともに、高転送速度で記録データを記録再生することが可能な記録再生装置として、ホログラムを用いるホログラム記録再生装置が注目を集めている。ホログラム記録再生装置では、記録媒体の厚み方向も活用し、記録に際しては、２次元の情報を１ページとする記録データに応じたページデータに基づき参照光と信号光とを干渉させて生じる干渉縞を、ホログラム記録媒体の中にページデータ毎に３次元的なホログラムとして形成して記録をするものである。また、再生に際しては、このようにして形成されたホログラムに参照光を照射して発生する回折光を得て記録データを再生する。
【０００３】
また、ホログラム記録再生の方式としては、コアキシャル方式と二光束方式とが、その代表例として知られている。ここで、コアキシャル方式は、記録時においては、記録データに応じて空間光変調器によってレーザ光源からの光ビームを変調して信号光を得るとともに同一のレーザ光源からの光ビームを参照光として得て、このような信号光と参照光とを、光路の一部において同軸状（コアキシャル）に配置して、最終的には、共通の対物レンズを通過させて、ホログラム記録媒体に照射されるようにしてホログラムがホログラム記録媒体に記録されるようにするものである。そして、コアキシャル方式では、再生時においては、レーザ光源からの参照光のみをホログラム記録媒体に照射して、参照光と同軸状となる位置関係でホログラム記録媒体から回折する回折光（再生光）を得て、この回折光から記録データが再生されるようにするものである（非特許文献１を参照）。一方、二光束方式とは、記録時においては、信号光と参照光との各々を別の光路を通過させてホログラム記録媒体に照射し、再生時においては、参照光と回折光（再生光）との各々を別の光路を通過させる方式である。
【０００４】
また、ホログラム記録再生においては、多重化、すなわち、同一または重複するホログラム形成領域に複数の記録データを、ページ毎に重ねて記録することがおこなわれている。
【０００５】
そして、このようなホログラム記録媒体におけるホログラムを形成するための記録層の媒質として、フォトポリマが検討されている。フォトポリマは安価に作成できること、その耐久性および高感度性などから、記録層の媒質として用うるに好適なるものである（特許文献１を参照）。しかしながら、このようなフォポリマの物理的特性と記録再生特性との関係、例えば、多重記録に必要とされるフォポリマの物理的特性に言及した例はほとんどないのが実情である。すなわち、ホログラム記録再生におけるホログラム記録媒体の最適化の観点からこれらを知ることは重要であるにも関わらず、どのような物理特性がフォトポリマに要求されるかについては、未知であった。なお、モノマがポリマに変化する拡散過程のモデルについては、いくつかの論文が発表されている（非特許文献２、非特許文献３を参照）。また、フォトポリマの拡散定数を制御する方法についての開示がなされている（特許文献２、特許文献３、特許文献４を参照）。
【特許文献１】特開２００４−２２６８２１号公報
【特許文献２】米国特許出願公開第０６９３９６４８号公報
【特許文献３】米国特許出願公開第０６１０３４５４号公報
【特許文献４】米国特許出願公開第０６４８２５５１号公報
【非特許文献１】日経エレクトロニクス２００５年１月１７日号１０６頁〜１１４頁
【非特許文献２】Shun-Der Wu et al,J.Opt.Soc.Am.B,Vol.20,Bo.6,june(2003)
【非特許文献３】C.Neipp, et al. OPTICS EXPRESS, vol.11,No16(2003)
【発明の開示】
【発明が解決しようとする課題】
【０００６】
上述の問題に鑑み、本発明は、ホログラム記録再生に用いるに好適なる、フォトポリマを記録層とするホログラム記録媒体を提供することを目的とする。
【課題を解決するための手段】
【０００７】
本発明のホログラム記録媒体は、複数の記録データの各々に応じて変調された信号光および前記信号光と光源を同一とする参照光を共通の集光レンズで集光して干渉させて、前記複数の記録データの各々に応じた複数のホログラムを順次重ねて形成する記録層を有するホログラム記録媒体であって、前記記録層はフォトポリマを構成材料として含み、前記フォトポリマによって形成されるホログラムの回折効率の最大値を最大回折効率ηとし、ホログラム記録時における記録済みホログラムの回折効率を多重化時回折効率η’とし、モノマの拡散定数を拡散定数Dとして、形成されるホログラムの体積をホログラム体積Vとし、記録中のホログラムと記録済みホログラムとの重なり部分の体積を重なり体積V’とし、前記記録済みホログラムの書き込み開始からの経過時間を時間tとし、0.1≧η’(D(t))/η×V’(t)/Vが成立する範囲のモノマの拡散定数の値を上限値とし、前記上限値の１／６のモノマの拡散定数の値を下限値とする範囲のモノマの拡散定数を有する。
【０００８】
このようなホログラム記録媒体では、モノマの拡散定数が所定の上限値以下であるので、ホログラムの多重記録をするに際して、既に記録済みのホログラムによって、書き込み中のホログラムを形成するための信号光および参照光が回折される影響が少なく良好なホログラムの書き込みができる。また、モノマの拡散定数が所定の下限値以上であるために、記録されたホログラムの再生を高速におこなうことができる。
【０００９】
本発明の別のホログラム記録媒体は、複数の記録データの各々に応じて変調された信号光および前記信号光と光源を同一とする参照光を共通の集光レンズで集光して干渉させてホログラムを形成するためのフォトポリマを構成材料として含む記録層を有するホログラム記録媒体であって、前記フォトポリマの連鎖長は、30nmから100nmの範囲であることを特徴とする。
【００１０】
このようなホログラム記録媒体では、ホログラムを形成するフォトポリマの連鎖長を30nmから100nmの範囲とすることによって、回折効率を良好なものとする。
【発明の効果】
【００１１】
本発明によれば、ホログラム記録再生に用いるに好適なる、フォトポリマを記録層とするホログラム記録媒体を提供することができる。
【発明を実施するための最良の形態】
【００１２】
以下、発明を実施するための最良の形態を以下の順で説明する。まず、「実施形態の概要」について説明し、ホログラム記録媒体の物理特性と再生特性との関係を求める「数値解析のモデル」について説明し、「数値解析の結果」について説明し、「コアキシャル方式のホログラム記録再生装置」について説明し、「ホログラム記録媒体の構造」について説明し、このようなホログラム記録媒体への「ホログラム記録方法」について説明し、この数値解析の結果に基づき望ましい記録層の物理定数を得るための「ホログラム記録媒体の記録層」について説明する。
【００１３】
「実施形態の概要」
本実施形態のホログラム記録媒体は、複数の記録データの各々に応じて変調された信号光と信号光と光源を同一とする参照光とを共通の集光レンズで集光して干渉させて、複数の記録データに応じた複数のホログラムの各々が領域を重ねて順次形成される記録層を有するものである。この記録層はフォトポリマを構成材料として含むものである。ここで、フォトポリマによって形成されるホログラムの回折効率の最大値を最大回折効率ηとし、多重化をするホログラム記録時における、多重化をされる記録済みホログラムの回折効率を多重化時回折効率η’とし、モノマの拡散定数を拡散定数Dとして、形成されるホログラムの体積をホログラム体積Vとし、記録中のホログラムと記録済みホログラムとの重なり部分の体積を重なり体積V’とし、書き込み開始からの経過時間を時間tとして、0.1≧η’(D(t))/η×V’(t)/Vによってモノマの拡散定数の上限値が与えられる。
【００１４】
すなわち、上式は、既に記録済みのホログラムが、新たに書き込むホログラムを形成するための信号光および参照光に与える回折量の大きさを示すものである。参照光と参照光とによって生じる干渉縞によって、干渉縞に応じた空間的なモノマ密度の分布が生じた後、このモノマ密度の分布が拡散過程を経て空間的に均一となることによって回折効率が得られるものである。また、既に記録済みのホログラムと新たに書き込むホログラムとの共通部分がある場合には、既に記録済みのホログラムは新たに書き込むホログラムに影響を及ぼすこととなるが、この影響の大きさは、モノマの拡散定数によって支配される、この共通部分における回折効率の大きさに依存することとなる。よって、このモノマの拡散定数が所定の上限値以下であれば、ホログラムの多重記録をするに際して、既に記録済みのホログラムによって、書き込み中のホログラムを形成するための信号光および参照光が回折される影響が少なく良好なホログラムの書き込みができるホログラム記録媒体を提供できる。
【００１５】
一方、モノマの拡散定数が小さすぎる場合には、モノマの拡散が定常状態に達して、モノマ密度が場所的に均一となるまでの時間が長くなる。モノマ密度が均一ではない場合には回折効率が低く、参照光をホログラム形成領域に照射しても良好なる再生特性が得られない。したがって、本実施形態では、モノマの拡散定数の下限値は上述した所定の上限値の１／６と定めた。
【００１６】
このようにして、モノマの拡散定数を好適な範囲とすることによって、ホログラムの多重記録に際して、良好な記録特性を有するとともに、記録されたホログラムの再生を記録後、速やかにおこなうことができるホログラム記録媒体を提供できる。
【００１７】
「数値解析のモデル」
フォトポリマのポリマ化のモデルとして、暗反応（dark reaction）と光ビームの照射後の停止反応過程（termination process）とを考慮した、１次元の非局所的拡散方程式（non-local diffusion equation）は、式（１）で記述できる。
【数１】
2007279560.tif 000003
【００１８】
ここで、Φm(x,t)は自由モノマ濃度（free monomer concentration）である。また、D(x,t)は拡散定数(diffusion coefficient)である。また、F(x,t)はポリマ化関数(polymerization function)である。また、G(x,x’)は、位置xにおけるポリマ化されたモノマ総量についてのx’におけるポリマ化されたモノマ濃度の影響を受ける非局所応答関数(non-local response function)である。
【００１９】
また、ポリマ化関数F(x’,t)は、さらに詳細には式（２）で表される。
【数２】
2007279560.tif 000004
【００２０】
ここで、Kpは単位照射ビーム密度（unit of illumination beam power density）当たりのポリマ化係数（polymerization coefficient）であり、νはポリマ化と照射ビームパワーIoとの間の関係の指数（exponent）であり、Sw1nとSw2nはｎ番目の記録（nth recording）のスイッチング関数（switching function）であり、tenはｎ番目の記録におけるビーム照射の終了時間(finishing time)であり、Vgはグレーティングビジビリテイ（grating visibility）であり、Kはグレーティング・ベクトル(grating vector)である。
【００２１】
また、D(x,t)は、さらに詳細には式（３）で表される。
【数３】
2007279560.tif 000005
【００２２】
ここで、Doは初期拡散定数（initial diffusion coefficient）であり、αは拡散定数の減衰パラメータ(decay parameter)である。
【００２３】
また、G(x,x’)はガウシアン確率分布関数(Gaussian probability distribution function)であり、式（４）で表される。
【数４】
2007279560.tif 000006
【００２４】
ここで、√σはポリマ連鎖長(polymer length)の分布を近似する非局所応答長(non local response length)である。
【００２５】
また、位置x、時間tにおけるポリマ密度Φp(x,t)は式（５）で示される。
【数５】
2007279560.tif 000007
【００２６】
ＦＤＴＤ（finite-difference time-domain）法を用いて、上式より、ポリマ密度およびモノマ密度の厳密解を求める。さらに、この式から得られるポリマ密度とモノマ密度を用いて、反射率変化（refractive index change）を式（６）で表すことができる。
【００２７】
【数６】
2007279560.tif 000008
ここで、CpとCmとは比例定数であり、φはモノマとポリマとのグレーティング位相の相対位相差(relative grating phase)である。
【００２８】
そして最終的に、コーゲルニック(Kogelnik)の結合波動理論（Coupled wave Theory）を用いて回折効率（diffraction efficiency）を求めた。
【００２９】
「数値解析の結果」
上述の式（１）ないし式（６）に基づいて一次元の拡散モデルについて演算した数値解析の結果を以下に示す。まず、図１にポリマ密度とモノマ密度の位置xにおける値をグラフとして示す。参照光と信号光の干渉縞は位置xに対して正弦波状に分布をするものとし、時間の経過に応じてどのようにポリマ密度とモノマ密度との各々が変化するかを示している。図１のt=0.01, t=1, t=3, t=10, t=60で示す各々の曲線は参照光および信号光を照射直後からの時間をSec（秒）単位で示すものである。なお、数値解析においては上述の各式におけるパラメータを以下のように定めて解析結果を得た。Io=11.5[mW/cm2], Kt=1[1/S],kp=0.001[cm/s/(mw)1/2], ν=0.5,Vg=1,Do=4.0E-12[cm2/s],α=0.1,σ=6.2E-11[cm2/s],Cm=3.3E-4,Cp=3.7。
【００３０】
図１に示すグラフから、ホログラム記録媒体のモノマ密度とポリマ密度のいずれもが、参照光および信号光を照射直後には確定せず、一定の時間経過後に略定常値に収束することが分かる。ここで、ホログラム記録媒体に参照光を照射して回折光を得る再生の作用においては、回折光はポリマとモノマとの屈折率差によって生じる。ここで、モノマ密度とポリマ密度とは、位置xに対して位相が１８０°異なっているために時間t=1Secから時間t=10Secでは、上述した屈折率差はあまり大きく生じることはない。一方、略定常状態である時間t=60Secにおいては、密度分布の不均一性に基づき生じたモノマの拡散が停止し、位置xに対するモノマの密度は略一定の値となる。このような定常状態においては、屈折率差は大きなものとなり、回折光の強度も大きなものとなる。
【００３１】
すなわち、参照光および信号光を照射直後には十分な回折光を得ることができず、照射直後から所定の時間が経過して、モノマの拡散が略定常状態に達した後に良好なる再生特性が得られることとなる。
【００３２】
一方、記録特性の観点から図１を見る場合には、定常状態に達した後のホログラムが記録されてしまった後に多重記録をおこなうと、それ以前に記録したホログラムによって、参照光または／および信号光が回折され、すでに記録されたホログラムの影響を受けることなく良好なるホログラムを形成することが困難となる。したがって、記録の観点からは、多重化されるホログラム（前に記録したホログラム）の記録によってモノマ密度とポリマ密度とが位置xに対して相互に１８０°異なる位相で分布している状態で、多重化するホログラム（後に記録するホログラム）を書き込むことが望ましい。ホログラム記録媒体の物理特性の観点から見た場合には、モノマの拡散が略定常状態に達するまでの時間が長い方が望ましいこととなる。
【００３３】
しかしながら、データ・ストレージ・デバイスに用いる記録媒体の観点からは、記録再生のスループット特性（入力から出力までの時間特性）は極めて重要であり、モノマの拡散が定常状態に達する時間が長ければ、スループット特性は悪化する。また、ホログラム記録後に行う後処理によって拡散は妨げられてしまうため、この後処理までにある程度待ち時間を設ける必要もある。上述の理由を総合すれば、モノマの拡散が略定常状態に達する時間が長い程良いというものでもなく、記録方法に応じた最適なる略定常状態に至るまでの時間が存在することになる。これについては、ホログラム記録再生装置について説明した後に、数値解析の結果をさらに引用しながらホログラム記録方法として後述する。
【００３４】
図１は、初期拡散定数Do=4.0E-12[cm2/s]におけるモノマ密度とポリマ密度とを示したが、図２は、初期拡散定数を変化させた場合におけるホログラム記録媒体の回折効率の時間変化の特性についての数値解析の結果を示す。図２のDo=1.0×10-11、Do=5.5×10-11、Do=2.0×10-12、Do=1.0×10-12で示す各々の曲線は初期拡散定数をcm2/secの単位で示すものである。
【００３５】
「コアキシャル方式のホログラム記録再生装置」
コアキシャル方式のホログラム記録装置では、信号光と参照光との各々について、光ビームの光路の一部を共有することによって、共通の対物レンズを用いて、記録再生を行うことができるため、光学系の簡略化ができ、さらに従来のＣＤ、ＤＶＤなどの光ディスクと互換性が比較的に容易であることから注目を集めている。
【００３６】
図３は、装置の主要部である光学部を中心として示した本実施形態のホログラム記録媒体の記録再生のためのホログラム記録再生装置１００の模式図である。このホログラム記録再生装置１００はホログラム記録媒体５０への記録データを記録するホログラム記録装置としての機能と、ホログラム記録媒体５０に記録された記録データを再生するホログラム再生装置としての機能の両方を有するものである。
【００３７】
ホログラム記録再生装置１００の動作を簡単に説明する。まず、記録時の動作を説明する。
【００３８】
レーザ光源２０からの光ビームはコリメートレンズ２１を経て空間光変調器（ＳＬＭ）２２に入射する。ここで、コアキシャル方式を採用しているホログラム記録再生装置１００では、空間光変調器２２は空間光変調器２２の内周部と前記空間光変調器２２の外周部との２つの領域を有して構成されており、記録データに基づき、空間光変調器２２の内周部に信号光（図４の符号４０を参照）を発生させるための信号光パターンを表示し、空間光変調器２２の外周部に参照光（図４の符号４１を参照）を発生させるための参照光パターンを発生する。信号光パターンと参照光パターンの各々の内容は、制御部６０からの制御信号に基づき特定されている。
【００３９】
信号光および参照光の各々は、ビームスプリッタ２３、ダイクロイックミラー３４を通過して、反射ミラー５６で反射され、対物レンズ２４で記録再生に適したビームサイズに絞られてホログラム記録媒体５０に照射され、ホログラム記録媒体５０の記録層（図４の符号５０ａを参照）で信号光と参照光とが重なり合いホログラムを形成することによって記録データが記録される。また、ホログラム記録媒体からの記録データの再生時においては、参照光のみを上述した光路でホログラム記録媒体５０に照射して回折光（再生光）（図４の符号４２を参照）を得て、この回折光を対物レンズ２４、反射ミラー５６、ダイクロイックミラー３４、ビームスプリッタ２３を経て、イメージセンサ２５に導き、イメージセンサ２５から得られる電気信号を制御部６０で処理することによって記録データを再生している。ここで、上述したようにフォトポリマを記録層の材料としている。
【００４０】
この場合において、記録再生を行う光ビームはホログラム記録媒体５０の記録層に焦点を結び、所定のラジアル方向の位置に光ビームが配置されるように、サーボ用光学系３０を含むフォーカスおよびラジアルサーボ系によって制御がなされ、ホログラム記録媒体５０が所定の回転角度となるようにスピンドルモータ５１を含むスピンドルサーボ系によって制御がなされている。このようなサーボ系を動作させるための制御信号の各々は、サーボ用光源２８からの記録再生用の光ビームとは波長が異なる光ビームをホログラム記録媒体５０に照射して、その戻り光をビームスプリッタ２７で分離してフォトディテクタ２９に導き、フォトディテクタ２９からの電気信号を制御部６０で処理して得られる。
【００４１】
ここで、サーボ用光学系３０からの光ビームはダイクロイックミラー３４と反射ミラー５６とで反射し、対物レンズ２４を通過してホログラム記録媒体５０に照射され、一方、記録再生用光学系からの光ビームは、上述したようにダイクロイックミラー３４を透過して反射ミラー５６で反射し、対物レンズ２４を通過してホログラム記録媒体５０に照射される。このようなコアキシャル方式を採用しているホログラム記録再生装置１００では、信号光、参照光および回折光はすべて対物レンズ２４を通過する。
【００４２】
ここで、ホログラム記録媒体５０には記録再生用の光ビームおよびサーボ用の光ビームの位置決めをするためのアドレスグルーブ（図４の符号５０ｃを参照）が配置されており、サーボ用光学系３０は、従来のＣＤ、ＤＶＤ等におけると同様な構成を有して、ホログラム記録媒体５０におけるサーボ用の光ビームの位置がフォトディテクタ２９からの電気信号に基づいて検出できるようにされている。ここで、記録再生用の光ビームとサーボ用の光ビームとの相互の関係は記録再生用の光学系とサーボ用のサーボ用光学系３０の各々を構成する光学部品の配置の相対関係によって一義的に相互の関係が定められているので、サーボ用の光ビームとホログラム記録媒体５０との位置関係を上述したフォーカスおよびラジアルサーボ系、スピンドルサーボ系によって決めることによって、結果として、記録再生用の光ビームの位置関係も制御できるようになされている。
【００４３】
すなわち、サーボ用光学系３０のフォトディテクタ２９からは、いわゆる、フォーカスエラー信号、トラッキングエラー信号が検出され、その各々のエラー信号に基づき、図示しないフォーカスアクチュエータおよび図示しないトラッキングアクチュエータとで構成される対物レンズアクチュエータの各々が制御部６０に配されたフォーカス・トラッキングサーボ回路により制御されて、図４において、符号Ｆおよび符号Ｔで示す方向に対物レンズ２４を変位させ、サーボ用の光ビームおよび記録再生用の光ビームの各々の光ビームがホログラム記録媒体５０の目標位置を照射するようにされている。
【００４４】
図３に示すホログラム記録再生装置１００は、記録と再生との両方の機能を備えるホログラム記録再生装置であるとして、上述の説明をおこなってきたが、ホログラム記録再生装置１００において、再生の機能に関する部分、例えば、イメージセンサ２５を備えず、再生の機能がない装置として本実施形態のホログラム記録装置を構成しても良いものである。
【００４５】
「ホログラム記録媒体の構造」
図４は、ホログラム記録媒体５０の断面積方向に切断した構造を模式的に示し、さらに、信号光４０および回折光４２（実線は信号光４０および回折光４２の最外周部からの光線を示す）、参照光４１（破線は参照光４１の最外周部からの光線を示す）およびサーボ用の光ビーム（一点鎖線で最外周部からの光線を示す）がどのように対物レンズ２４に入射し、どのようにホログラムが形成されるかを模式的に示す図である。ホログラム記録媒体５０は記録層５０ａ、記録再生用の光ビームの反射膜５０ｂ、アドレスグルーブ５０ｃを有するものである。
【００４６】
記録時においては、記録層５０ａには、信号光４０と参照光４１との干渉によって生じる干渉縞の形状に応じてホログラムが形成され、再生時においては、このホログラムに参照光４１のみが照射されることによって、記録時における信号光４０と略同一の領域に、ホログラムに応じた回折光４２が反射膜５０ｂで反射されて、対物レンズ２４を通過して生じる。一方、サーボ用の光ビームは、波長選択特性を有する反射膜５０ｂを透過して、アドレスグルーブ５０ｃが形成されたアルミ反射膜で反射して、戻り光が生じ、フォトディテクタ２９から検出した電気信号に基づいて制御部６０において、上述した、フォーカスサーボ、ラジアルサーボ、スピンドルモータの回転制御の処理のために必要とされる各々のサーボのための信号、さらには、ホログラム記録媒体５０における光ビームが照射されるホログラム記録媒体５０の記録層５０ａの位置の特定のためのアドレス信号が得られる。
【００４７】
「ホログラム記録方法」
以下に、上述したホログラム記録装置１００によって上述したホログラム記録媒体５０に記録データを記録する場合について、ホログラム記録媒体５０の記録層５０ａを構成するフォトポリマの物理的な性質を考慮した本実施形態の記録方法を説明する。
【００４８】
図５は、記録層５０ａに記録されるホログラムの各々の領域を光ビーム照射面から示した模式図である。各々の円形の領域は光ビームの入射側の記録層の境界面（図６の符号５０ａ１を参照）における記録データの１ページに対応するホログラム形成領域を示すものである。トラック１は内周側であり、トラック２はトラック１よりも外周側の隣接するトラックであり、トラック３はトラック２よりも外周側の隣接するトラックである。
【００４９】
案内溝として機能するアドレスグルーブ５０ｃに沿った方向であるタンジェンシャル方向に各々のページに対応してホログラムD10、ホログラムD11、ホログラムD12、ホログラムD13、ホログラムD14が相互に重なり合い多重化されて記録がおこなわれ、アドレスグルーブ５０ｃと直交する内外周方向であるラジアル方向に各々のホログラムD20、ホログラムD30、ホログラムD40、ホログラムD50、ホログラムDn0が相互に重なり合い多重化されて記録がおこなわれる。記録する時間順序は、ホログラムD10、ホログラムD11、ホログラムD12、ホログラムD13、ホログラムD14の順序である。
【００５０】
なお、連続して渦巻状のアドレスグルーブ５０ｃに沿って記録をする場合には、図５に図示しない、ホログラムD21（トラック２の中心の線と、例えば、ホログラムD11の中心とホログラム記録回転中心とを結ぶ放射状の線と、の交点に中心が配置される円形の領域）、ホログラムD22（トラック２の中心の線と、例えば、ホログラムD12の中心とホログラム記録回転中心とを結ぶ放射状の線と、の交点に中心が配置される円形の領域）・・・ホログラムD24（トラック２の中心の線と、例えば、ホログラムD14の中心とホログラム記録回転中心とを結ぶ放射状の線と、の交点に中心が配置される円形の領域）・・・ホログラムD31（トラック３の中心の線と、例えば、ホログラムD11の中心とホログラム記録回転中心とを結ぶ放射状の線と、の交点に中心が配置される円形の領域）・・・ホログラムD34（トラック３の中心の線と、例えば、ホログラムD14の中心とホログラム記録回転中心とを結ぶ放射状の線と、の交点に中心が配置される円形の領域）等のホログラムも記録されることとなる。
【００５１】
ここで、ホログラム領域の直径をホログラム直径Ds、トラック間隔をトラックピッチTp、タンジェンシャル方向（シフト多重方向）のホログラム領域の多重化のためのずれをシフトピッチSpで表すものとする。ホログラムは、ラジアル方向にはトラックピッチTp単位でずれて多重記録がされ、タンジェンシャル方向にはシフトピッチSpの単位でずれて多重記録がされる。
【００５２】
図６の（Ａ）ないし（Ｃ）の各々は、記録層の断面から見た記録済みのホログラム形成領域を実線で模式的に表し、その上に多重化するホログラム形成領域を破線で模式的に表すものである。ここで、斜線部は、２つのホログラムが相互に重なり合う部分であり、光ビームは記録層の境界５０ａ１の側から入射するものである。上述のホログラム直径Ds、シフトピッチSpは記録層の境界５０ａ１における寸法として定義されるものである。
【００５３】
まず、ラジアル方向に多重記録することなく、タンジェンシャル方向にのみ多重記録する場合についての好適なる記録方法について説明する。ひとつのホログラムの記録に必要な時間を記録時間trとし、またページ毎の記録のセッティングに要する時間をセッティングタイムtsとする。このときにタンジェンシャル方向に記録済みのホログラムから影響を受ける最大の時間長である影響時間Tsは、式（７）で表される。ここで、影響時間Tsを図５を参照して説明すると、ホログラムD10の記録の開始から、ホログラムD14の記録の開始までの時間を表すものである。
【００５４】
【数７】
2007279560.tif 000009
【００５５】
次に、ラジアル方向へも多重化する場合について検討する。各々のトラックは渦巻状（スパイラル）に形成されているので、トラック１に沿っての記録後にトラックピッチTp離間して、トラック２に沿って多重記録が行われる。このときに、トラック１の長さをトラック長Lとすると、このときにラジアル方向に記録済みのホログラムから影響を受ける最大の時間長である影響時間Tsは、式（８）で表される。なお、式（８）は、記録済みのホログラムから影響を受けるラジアル方向の距離（ホログラム直径Dsと等しい長さである）はトラック長Lに較べて無視し得る程小さいものとした近似式である。ここで、影響時間Tsを図５を参照して説明すると、ホログラムD10の記録の開始から、ホログラムDn4の記録の開始までの時間を表すものである。
【００５６】
【数８】
2007279560.tif 000010
【００５７】
上述した影響時間Tsと図２に示す回折効率の時間変化との関係は、ホログラム記録再生特性を規定する上で重要なものとなっている。すなわち、影響時間Tsを経過する前に回折効率が立ち上がってしまう場合（時間経過に応じた回折効率が後に記録するホログラムに悪影響を与える程度の値となる場合）には、記録時においては、多重化されるホログラムが、多重化するホログラムに対してノイズ成分として混入してしまうこととなる。
【００５８】
図６の（Ａ）ないし（Ｃ）を参照して、影響時間Tsと回折効率との関係を模式的に示す。コアキシャル光学系では光ビームが入射する側の記録層の境界５０ａ１における光ビームのサイズよりも、記録層の境界５０ａ２における光ビームのサイズの方がより小さいものとなっている。そのために、多重記録をおこなう場合において、記録層の境界５０ａ２において形成されるホログラムが相互に重なることがない場合においても、記録層の境界５０ａ１において形成されるホログラムが相互に重なる状態が生じることとなる。図６の（Ａ）は、境界５０ａ１および境界５０ａ２の両方で相互にホログラムが重なる場合を示し、図６の（Ｂ）は、境界５０ａ２では相互にホログラムが重ならない場合を示し、図６の（Ｃ）は、境界５０ａ１においても相互にホログラムが重ならない場合を示している。
【００５９】
ここで、ホログラムの体積をホログラム体積V、重なっている部分のホログラムの体積を重なり体積V’とし、ホログラムの回折効率の最大値（定常状態に達した後の最終値）を最大回折効率（最終回折効率）η、多重化するホログラム（後書きされるホログラム）が記録される時点での多重化されるホログラム（先書きされたホログラム）の回折効率を多重化時回折効率η’とすれば、シフト多重においては、すでに先書きされたホログラムからのノイズの影響を表す指標であるノイズ係数Cは式（９）で表される。
【００６０】
【数９】
2007279560.tif 000011
【００６１】
式（９）の第１項の最大回折効率ηはホログラム記録後の時間の経過に伴い一定の値に収束する定数であり、多重化時回折効率η’は時間の関数であり、時間の経過とともに増加し、理論的には無限の時間経過後に最大回折効率ηと一致するものとなる。第１項を立ち上がり係数η’/ηと称して以下用いる。立ち上がり係数η’/ηの値が小さい程、多重化の時点における多重化されるホログラム（書き込み済みのホログラム）の回折効率が小さいので、多重化するホログラム（書き込み中のホログラム）へのノイズの影響が少ないことを表している。
【００６２】
図７は、立ち上がり係数η’/ηをパラメータとして、拡散定数に対する各々の立ち上がり係数η’/ηで示す割合に立ち上がるまでの経過時間を示す。ここで、数値70を付した曲線、数値50を付した曲線、数値30を付した曲線は、式（９）の立ち上がり係数η’/ηの値が、各々、70%,50%,30%を示すものである。図７に示したグラフは、立ち上がり係数η’/ηの値が70%,50%,30%の三つについて、横軸に拡散定数を示し、縦軸に70%,50%,30%の各々の立ち上がり係数η’/ηに達するまでの経過時間を示すものである。図７では、三つの曲線のみを記載しているが、任意の立ち上がり係数η’/ηの値について拡散定数に対する経過時間を数値解析より求めることができる。
【００６３】
また、式（９）の第２項のホログラム体積Vの値は参照光と信号光とが干渉してホログラムが形成される部分の体積を表すものであり、図６の（Ａ）ないし（Ｃ）の断面図に示すように１次元の切断面の形状としては台形形状、３次元の形状としては、先端部を切断した円錐形状の形状で近似的に表されるものである。また、重なり体積V’は、スピンドルモータ５１（図３を参照）によってホログラム記録媒体５０が移動されることによって時間とともに変化する時間の関数である。ここで、ホログラム記録媒体５０のタンジェンシャル方向への移動は、連続的ではなく、一のホログラムを記録後に、参照光および信号光の照射を停止し、シフトピッチSpだけタンジェンシャル方向に移動し、再び参照光および信号光を照射するものであるので、時間の経過に伴い離散的に重なり体積V’は変化するものとなる。重なり体積V’の体積は多重化されるホログラムと多重化するホログラムの重なり部分の体積であるが、重なり体積V’の値が小さい程、多重化されるホログラムと多重化するホログラムとの重なり部分が小さいので、多重化するホログラムへのノイズの影響が少ないことを表している。第２項を重なり係数V’/Vと称して以下用いる。つまり、重なり係数V’/Vの値が小さい程ノイズの影響が少ないこととなる。
【００６４】
ここで、上述したようにホログラム体積Vは、記録層５０ａの厚み、境界５０ａ１における光ビームの径、境界５０ａ２における光ビームの径から、先端部が切断された円錐の体積として容易に求めることができる。また、重なり体積V’は二つの円錐の重なり部分であるので、数値解析によって容易に計算できるものである。また、重なり体積V’は、時間の関数であるシフトピッチSpおよび時間の関数であるトラックピッチTpの関数であるので、重なり係数V’/Vも時間の関数として式（１０）として求められる。
【００６５】
【数１０】
2007279560.tif 000012
【００６６】
上述したことから明らかなように、立ち上がり係数η’/ηの値と重なり係数V’/Vの値のいずれもが、小さい程、記録再生特性は良好となるものであから、これらの積であるノイズ係数Cの値が小さい程、記録再生特性は良好となるものである。よって、最終的には、立ち上がり係数η’/η（拡散定数の関数である）と、重なり係数V’/V（時間の関数である）と、ノイズ係数C（記録再生特性の関数である）との三者が、式（１０）によって関係づけられることとなる。ここで、拡散定数Dが位置xによらないものであり、スピンドルモータによってホログラム記録媒体が一定の速度で、ステップ状に回転位置が変位されているものである場合には、式（１１）が成立することとなる。
【００６７】
【数１１】
2007279560.tif 000013
【００６８】
式（１１）の第１項は時間とともに大きくなり、理論的には無限の時間で１に収束するものであり、第２項は時間とともに小さくなり、多重記録されるホログラムと多重記録するホログラムとの共通部分がなくなれば、第２項の値は零となるものである。すなわち、ノイズ係数Cは、時間ｔの値が零から、第２項の値が零となるまでの時間の範囲のどこかで最大値を有する時間関数である。
【００６９】
ノイズ係数Cは多重化するホログラムに与える多重化されるホログラムからの影響を示す指標であるので、記録特性だけを考慮する場合には、ノイズ係数Cの値は零であることが理想である。これを実現するためには、多重化したホログラムが共通部分を有さない、すなわち、多重化をおこなわないか、拡散定数の値が零であることが必要となる。拡散定数を零とする場合には、良好な再生特性を得ることができない。
【００７０】
しかしながら、拡散定数を零としない場合であっても、ホログラム記録再生装置においては、誤り訂正符号（ＥＣＣ）を用いた誤り訂正処理がなされるので、ある程度の記録再生特性の劣化は誤り訂正処理によって無視できることとなる。すなわち、ホログラムから再生した記録データの誤りのない再生が誤り訂正処理によって可能となる。この観点から、ノイズ係数Cは、時間ｔの値が零から、第２項の値が零となる時間の範囲において、式（１２）で示す一定の値である定数K1以下であれば、記録再生特性には問題が生じないことになる。
【００７１】
【数１２】
2007279560.tif 000014
【００７２】
一方、ノイズ係数Cの値が小さ過ぎる場合には、モノマの拡散の速度が遅すぎるために、長時間に渡り良好な再生信号を得ることができず、記録再生のスループットは悪化してしまうので、式（１２）を満たす拡散定数の値は、一定の値以上であることが要求されることになる。
【００７３】
上述においては多重化の数が２つ、すなわち、多重化されるホログラムは１個で、多重化するホログラムも１個であるとして説明をおこなってきたが、図５に示すように、例えば、ホログラムD10、ホログラムD11、ホログラムD12、ホログラムD13、ホログラムD14、と同一トラックのみにシフト多重される場合には、ホログラムD14を記録時において、既に記録されたホログラムである、ホログラムD10、ホログラムD11、ホログラムD12、ホログラムD13、の各々からの影響がホログラムD14に及ぶ。ここで、立ち上がり係数η’/ηの値の方が重なり係数V’/Vよりも大きい範囲では、ホログラムD10のホログラムD14に与える影響のみを考慮すれば、第１近似としては一般的には十分なものである。また、重なり係数V’/Vの値が、立ち上がり係数η’/ηの値よりも大きい範囲では、ホログラムD10のホログラムD14に与える影響のみを考慮すれば、第１近似としては一般的には十分なものである。
【００７４】
しかしながら、重なり係数V’/Vと立ち上がり係数η’/ηとの両者を考慮するに際して、ホログラムの形成領域が重ならない程度に隣接するトラックが離間している場合、または、１本のトラックのみを有する場合においては、式（９）の第１項によって表される立ち上がり係数η’/ηに基づくノイズの影響は、ホログラムD10、ホログラムD11、ホログラムD12、ホログラムD13の順に大きなものであり、式（９）の第２項によって表される重なり係数V’/Vに基づくノイズの影響は、ホログラムD13、ホログラムD12、ホログラムD11、ホログラムD10の順に大きなものである。
【００７５】
したがって、同一のトラックからの影響を厳密に計算する場合には以下のようにして求めることが望ましい。ホログラムD10がホログラムD14に及ぼすノイズの影響を表すノイズ係数をノイズ係数C0とし、ホログラムD11がホログラムD14に及ぼすノイズの影響を表すノイズ係数をノイズ係数C1とし、ホログラムD12がホログラムD14に及ぼすノイズの影響を表すノイズ係数をノイズ係数C2とし、ホログラムD13がホログラムD14に及ぼすノイズの影響を表すノイズ係数をノイズ係数C3とすれば、総合的なノイズ係数Cは、ノイズ係数C0ないしノイズ係数C3の和として表されるものである。ここで、例えば、ノイズ係数C0を求めるに際しての多重化時回折効率η’の値はホログラムD14中におけるホログラムD10の領域の回折効率の値を用い、重なり体積V’の値としては、ホログラムD10とホログラムD14の形成領域の共通部分の体積(図５では零)である。他のノイズ係数C1ないしノイズ計数C3についても同様である。
【００７６】
さらに、隣接するトラックに記録をする場合には、同一のトラックから影響のみならず、現在記録中のホログラムと共通する重なり体積V’を有する２次元に分布をするすべての隣接するホログラムからのノイズ係数を加算した値をノイズ係数Cの値として採用することが正確にノイズ係数Cを求めるためには望ましいものである。
【００７７】
「円盤状のホログラム記録媒体における具体例」
円盤状のホログラム記録媒体５０の寸法を特定し、図３に示すホログラム記録装置１００で渦巻状にホログラムを多重記録する場合の具体例について説明する。
【００７８】
図９に具体例における各種パラメータを表として示す。記録時間は１ページの記録データを記録するために参照光および信号光を照射している時間であり、0.0001Sec（秒）である。セッティング時間は１ページの記録データを記録するのに必要な参照光および信号光の照射の前の時間であり、より具体的には、空間光変調器２２に記録のためのパターンを設定し、記録スケジューリングの読込みの時間の和であり、例えば、0.00002Secである。トラック方向のシフトピッチSp（図５を参照）は0.01mmである。クロストラック方向シフトピッチはトラックピッチTp（図５を参照）であり、0.02mmである。ディスク外周長は渦巻状に形成された最外周の１周分のトラックの長さであり、364mm程度であり、ディスク内周長は渦巻状に形成された最内周の１周分のトラックの長さであり、145mm程度であり、ディスク中央部長は渦巻状に形成された中央部（半径が外周径の１／２の位置）の１周分のトラックの長さであり、254mm程度である。
【００７９】
また、ホログラムサイズ（上部）は形成されるホログラムの上部の直径、すなわち、図６の（Ｃ）の領域５０ａ１における実線部または破線部の長さであり、0.75mmであり、ホログラムサイズ（下部）は形成されるホログラムの下部の直径、すなわち、図６の（Ｃ）の領域５０ａ２における実線部または破線部の長さであり、0.35mmであり、ホログラムサイズ（中央部）は形成されるホログラムの中央部の直径、すなわち、図６の（Ｃ）の領域５０ａ１と領域５０ａ２との中間点における実線部または破線部の長さであり、0.55mmである。この場合における１ページあたりの記録容量は3.2Kbitであり、転送レートは略213Mbpsである。
【００８０】
図１０は、図９に示す数値を式（７）に代入して、一のホログラム（図５のホログラムD10）の記録を開始した後にトラックに沿ってタンジェンシャル方向にシフトした互いに影響し合うことがないホログラム（図５のホログラムD14）の記録を開始するまでの時間であるタンジェンシャル方向の影響時間Tsを求めたものである。ホログラムサイズ上部では0.0045Secであり、ホログラムサイズ中央部では0.0033Secであり、ホログラムサイズ下部では0.0021Secである。
【００８１】
また、図１１は、図９に示す数値を式（８）に代入して、一のホログラム（図５のホログラムD10）の記録を開始した後に、ホログラム記録媒体の回転中心から伸びる、一のホログラムの中心を通過する放射状の直線上に中心を有する互いに影響し合うことがないホログラム（図５のホログラムDn0）の記録を開始するまでの時間であるラジアル方向の影響時間Tsを求めたものである。
【００８２】
最外周のトラックにおいては、ホログラムサイズ上部では約82Secであり、ホログラムサイズ中央部では約60Secであり、ホログラムサイズ下部では約38Secである。また、最内周のトラックにおいては、ホログラムサイズ上部では約33Secであり、ホログラムサイズ中央部では約24Secであり、ホログラムサイズ下部では約15Secである。また、中央部のトラックにおいては、ホログラムサイズ上部では約57Secであり、ホログラムサイズ中央部では約42Secであり、ホログラムサイズ下部では約27Secである。
【００８３】
ここで、実験結果によれば、ノイズ係数Cは、0.1以下であることが望ましい。すなわち、ノイズ係数Cの値が0.1以下であれば、予め、誤り訂正符号を付与して記録データを記録して、再生時において誤り訂正処理をおこなう場合には、良好な再生が可能であることが、一つの実験結果から求められている。したがって、ノイズ係数Cを0.1以下とする場合の立ち上がり係数η’/ηの値は、重なり係数V’/Vによって一意的に定まることとなる。
【００８４】
影響時間Tsの最大値が上述したように82Secであるので、この82Secの時間は回折効率が十分低いことが隣接するトラックからのノイズを減らし、良好な記録再生特性が得られることとなる。図７を参照して、この範囲に該当する拡散定数を求めると、5[nm/s]〜30[nm/s]の範囲となる。
【００８５】
次に、拡散定数の下限について説明する。下限値は、記録後の待ち時間の定めるものであるので、マージンを考慮して、上限値の１／６とした。
【００８６】
次に、ホログラム記録媒体の別の物理特性である連鎖長について説明する。フォトポリマは、開始材から発生した反応活性種(ラジカル重合であればラジカル、カチオン重合系であれば酸)によって未反応モノマが反応し、その連鎖反応によってポリマが形成されていく。よってフォトポリマにはある程度の連鎖長があるが、その連鎖長によっては実際に記録されたホログラムのコントラストが低下するために回折効率が低下することが考えられる。すなわち、ポリマ連鎖長が短いということは、より屈折率差のコントラストが明確になるので回折光率としては上昇する。
【００８７】
図８に数値解析によるポリマ連鎖長に対する回折効率を示す。ポリマ連鎖長は回折格子間隔に依存するが、この数値解析では回折格子間隔は550nmとしている。図８に示す解析結果から、良好なる記録再生特性を得るためには、ポリマ連鎖長は回折格子間隔の1/5〜1/10程度以下であることが望ましい。しかし、ポリマ化反応は連鎖反応であるためある一定の長さは必ず持っている。よって連鎖移動材などを用いて上記ポリマ連鎖長を制御する必要がある。
【００８８】
コリニア光学系(例えば、ＮＡ＝０．５５)の場合には、ホログラム記録媒体に入射する信号光・参照光が共に所定角度を有しての広がりを持っているので、回折格子間隔には分布があり、434nm〜734nmの間に分布している。上述したようにポリマ連鎖長は回折効率に大きく関わってくるため、連鎖長は回折格子間隔の1/10であることが望ましい。よってコアキシャル光学系での回折格子間隔を考慮に入れると、コアキシャル光学系での連鎖長は30nm〜１00nmの間であることが望ましい。なお、さらに、この範囲よりも短い連鎖長になるほどより屈折率差のコントラストが明確になり、より高い回折効率を得ることが可能になる。
【００８９】
「ホログラム記録媒体の記録層」
上述したように、ホログラム記録媒体の記録層の最適化を図るためにモノマの拡散定数を所望の範囲とする必要がある。モノマの拡散定数はモノマの分子量と溶媒（またはマトリックス）の剛性に依存する。マトリックスは、フォトポリマを記録層として用いる場合に、記録時に発生する記録層の収縮の影響を低減するために、ホログラム記録媒体の製造時において重合反応で記録層をある程度固める機能を有するものである。このようなマトリックスのモノマ分量または材料を選択することによってマトリックスの剛性を調整して拡散定数を制御することが可能となる。
【００９０】
また、ポリマ連鎖長を制御する方法としては、例えば、連鎖移動材を入れることが考えられる。連鎖移動材を入れることによって、ある程度の重合度の活性化モノマが他の末端基へと連鎖が移動するために連鎖長の短いポリマを得ることが可能となる。また、連鎖長は同一のホログラム記録媒体であっても記録条件によって変わるものであるので、このような連鎖長条件を満足するためには、記録エネルギーは、100〜1000[μＪ/cm2]のエネルギー範囲とすることが望ましい。
【図面の簡単な説明】
【００９１】
【図１】ポリマ密度およびモノマ密度の値を示す図である。
【図２】拡散定数を変化させた場合におけるホログラム記録媒体の回折効率の時間変化を示す図である。
【図３】ホログラム記録媒体の記録再生のためのホログラム記録再生装置の模式図である。
【図４】ホログラム記録媒体の断面積方向に切断した構造を模式的に示す図である。
【図５】記録層に記録されるホログラムの各々の領域を光ビーム照射面から示した模式図である。
【図６】記録層の断面から見たホログラム形成領域を示した模式図である。
【図７】拡散定数に対する各々の立ち上がり係数で示す割合に立ち上がるまでの経過時間を示す図である。
【図８】ポリマ連鎖長に対する回折効率を示す図である。
【図９】具体例における各種パラメータを表として示すものである。
【図１０】タンジェンシャル方向の影響時間を示すものである。
【図１１】ラジアル方向の影響時間を示すものである。
【符号の説明】
【００９２】
１、２、３、ｎ  トラック、４０  信号光、４１  参照光、５０ホログラム記録媒体、５０ａ  記録層、５０ｂ  反射膜、５０ｃ  アドレスグルーブ、５１  スピンドルモータ、１００  ホログラム記録再生装置、C  ノイズ係数、D、Do  拡散定数、D10、D11、D12、D13、D14、D20、D30、D40、D50、Dn0、  ホログラム、V  ホログラム体積、V’  重なり体積、η  最大回折効率、η’  多重化時回折効率
【図１】
2007279560.tif 000015
【図２】
2007279560.tif 000016
【図３】
2007279560.tif 000017
【図４】
2007279560.tif 000018
【図５】
2007279560.tif 000019
【図６】
2007279560.tif 000020
【図７】
2007279560.tif 000021
【図８】
2007279560.tif 000022
【図９】
2007279560.tif 000023
【図１０】
2007279560.tif 000024
【図１１】
2007279560.tif 000025